(57)【要約】【課題】  寸法上の制約を満たす範囲において多くの電池を収納することができ、しかも電池の不本意な脱落を阻止することのできる取り扱い性の良好な電池ケースを提供する。【解決手段】  大径の円筒形電池と略同等な外観寸法（径と長さ）を有し、その内部に複数本の小径の円筒形電池を並べて収容可能な電池ケースあって、ケース本体と、このケース本体の周側部に設けられてその内部に収納される円筒形電池の周側面の一部を入り込ませて露出させる複数のスリットとを備える。ケース本体を軸方向に互いに着脱可能な有底円筒状の正極側ケース体および負極側ケース体として実現する場合には、前記各ケース体の周側部における前記複数の円筒形電池の周側面からの距離を隔てた部位に設けられて前記各ケース体を互いに着脱自在に連結する係合部を設ける。【選択図】      図１
2006269193.tif 000002
【特許請求の範囲】
【請求項１】
大径の円筒形電池と略同等な外観寸法を有し、その内部に複数本の小径の円筒形電池を並べて収容可能な電池ケースであって、
ケース本体と、
このケース本体の周側部に設けられてその内部に収納される円筒形電池の周側面の一部を入り込ませて露出させるスリットと、
前記ケース本体の両端部内側に設けられてその内部に収納した複数本の円筒形電池の正極および負極にそれぞれ接続される正極側および負極側の各接続端子と、
前記ケース本体の両端部外側に設けられて上記正極側および負極側の各接続端子にそれぞれ接続される正極端子および負極端子と
を具備したことを特徴とする電池ケース。
【請求項２】
前記ケース本体は、互いに着脱可能に２分割されて設けられたケース体からなり、
前記各ケース体は、収納される複数の円筒形電池の周側面間に形成される谷間に対峙させて前記各ケース体を互いに着脱自在に連結する係合部を備えたものである請求項１に記載の電池ケース。
【請求項３】
前記各ケース体は、軸方向に分割された有底円筒状の正極側ケース体および負極側ケース体であることを特徴とする請求項２に記載の電池ケース。
【請求項４】
前記ケース本体は、本体部と、一端に本体部と連結されるヒンジ部を有すると共に、他端に本体部と着脱自在に連結される係合部を有し、蓋部が本体部に対して開閉自在に設けられていることを特徴とする請求項１記載の電池ケース。
【請求項５】
前記ケース本体は、単１形電池と略同等な外観寸法をなし、前記小径の円筒形電池としての単３形電池を４本並べて収納するものである請求項１に記載の電池ケース。
【請求項６】
前記接続端子の一方は、前記円筒形電池の一端部に突出した正極又は負極のうちの一方の電極の接触接続を許容すると共に、該円筒形電池の他端部をなす平坦な他方の電極の接触を阻止するリブを備えたものである請求項１に記載の電池ケース。
【請求項７】
前記各円筒型電池は、それぞれ逆電流阻止用のダイオードを介して、正極または負極端子に接続されることを特徴とする請求項１に記載の電池ケース。
【請求項８】
前記各ダイオードは、前記正極または負極の接続端子と共に回路基板に実装されて前記ケース本体の端部に組み込まれるものである請求項７に記載の電池ケース。
【発明の詳細な説明】
【技術分野】
【０００１】
本発明は、複数本の小径の円筒形電池（例えば単３形電池）を収納して大径の円筒形電池（例えば単１形電池）の代替品として用いるに好適な電池ケースに関する。
【背景技術】
【０００２】
各種の電子機器の電源として用いられる電池は、例えばその外観寸法に応じて丸形素電池と平形素電池とに大別され、中でも丸形素電池として代表的な円筒状電池は、単１形電池（Ｒ２０）、単２形電池（Ｒ１４）、単３形電池（Ｒ６）、単４形電池（Ｒ０３）等に分類される。そして電子機器は、その仕様に応じた電池を用いるべく、通常、使用対象とする電池の種類（外観寸法）に応じた空間を形成した電池収納部を備えて構成される。
【０００３】
一方、単１形電池の外観寸法を有する円筒状ケース（電池スペーサ）に１〜３本の単３形電池を収納して、或いは支柱を介して支持された一対の端子支持盤間に上記支柱の中心として４本の単３形電池を嵌め込み、これを単１形電池と同様に使用することが提唱されている（例えば特許文献１,２を参照）。また電池を収納する電池アダプタの内部にダイオードを組み込み、ダイオードでの電圧降下を利用してその出力起電力を調整することも提唱されている（例えば特許文献３を参照）。
【特許文献１】特公昭５８−６６１号公報
【特許文献２】特開平６−１８７９５４号公報
【特許文献３】特開平１１−４０１１９号公報
【発明の開示】
【発明が解決しようとする課題】
【０００４】
ところで単３電池を用いて単１形電池と同様に使用する場合、一般的には電池容量の観点から単１電池と略同等な外観寸法を有する円筒状の電池ケースに、できるだけ多くの単３電池を収容することが望ましい。しかし特許文献１に示されるように円筒状の電池ケースを用いた場合には、電池径（外径）の制約から最大３本の単３電池を収納し得るに過ぎない。これに対して特許文献２に示されるように支柱を介して支持された一対の端子支持盤間に単３電池を挟み込む場合には、４本の単３電池を用いることができる。しかしながらこのような支柱構造の電池ケースにおいては電池が外れ易く（脱落し易く）、その取り扱い性に問題がある。
【０００５】
本発明はこのような事情を考慮してなされたもので、その目的は、寸法上の制約を満たす範囲において多くの電池を収納することができ、しかも電池の不本意な脱落を阻止することのできる取り扱い性の良好な電池ケースを提供することにある。
【課題を解決するための手段】
【０００６】
上述した目的を達成するべく本発明に係る電池ケースは、大径の円筒形電池と略同等な外観寸法（径と長さ）を有し、その内部に複数本の小径の円筒形電池を並べて収容可能なものであって、
<ａ>  ケース本体と、
<ｂ>  このケース本体の周側部に設けられてその内部に収納される円筒形電池の周側面の一部を入り込ませて露出させるスリット、好ましくは複数のスリットと、
<ｃ>  前記ケース本体の両端部内側に設けられてその内部に収納した複数本の円筒形電池の正極および負極にそれぞれ接続される正極側および負極側の各接続端子と、
<ｄ>  前記ケース本体の両端部外側に設けられて上記正極側および負極側の各接続端子にそれぞれ接続される正極端子および負極端子と
を具備したことを特徴としている。
【０００７】
好ましくは請求項２に記載するように、前記ケース本体は、互いに着脱可能に２分割されて設けられたケース体からなり、
前記各ケース体は、収納される複数の円筒形電池の周側面間に形成される谷間に対峙させて前記各ケース体を互いに着脱自在に連結する係合部を備えたものとして実現される。
更に好ましくは請求項３に記載するように、前記各ケース体は、軸方向に分割された有底円筒状の正極側ケース体および負極側ケース体として実現される。
【０００８】
また、請求項４に記載するように、前記ケース本体は、本体部と、一端に本体部と連結されるヒンジ部を有すると共に、他端に本体部と着脱自在に連結される係合部を有し、蓋部が本体部に対して開閉自在に設けられるように構成しても良い。
ちなみに前記ケース本体は、例えば請求項５に記載するように、単１形電池と略同等な外観寸法をなす円筒型または多角形状（例えば８角形）をなす外形とし、その内部に前記小径の円筒形電池としての単３形電池を４本並べて収納するものとして実現される。尚、前記ケース本体を単２形電池と略同等な外観寸法をなし、その内部に前記小径の円筒形電池としての単４形電池を４本並べて収納するものとして実現しても良い。
【０００９】
好ましくは請求項６に記載するように、前記接続端子の一方は、前記円筒形電池の一端部に突出した正極または負極のうちの一方の電極の接触接続を許容すると共に、該円筒形電池の他端部をなす平坦な他方の電極の接触を阻止するリブを備えることが望ましい。このリブは、例えば正極側の接続端子の周囲に形成されて、その内側に円筒形電池の一端部に突出した正極電極が入り込むようにした該正極電極の突出長よりも僅かに低い高さのリング状の突起として実現される。
【００１０】
また請求項７に記載するように前記各円筒型電池は、それぞれ逆電流阻止用のダイオードを介して、正極または負極端子に接続することが好ましい。このダイオードについては、例えば請求項８に記載するように、前記正極または負極の接続端子と共に回路基板に実装して前記ケース本体の端部に組み込むようにすれば良い。この際、前記ダイオードとさ更に直列に渦電流保護素子であるフューズやＰＴＣ（正温度係数抵抗素子）を介挿することが望ましい。そしてこのフューズやＰＴＣについても前記回路基板に実装することが望ましい。
【発明の効果】
【００１１】
本発明の請求項１の構成によれば、ケース本体の周側面にスリットが設けられており、このスリットに電池の周側面の一部を嵌め込んだ状態で該ケース本体に複数本の電池を収納するので、上記ケース本体の周側面（周壁）による寸法的な制約を受けることなくケース本体に多くの電池を並べて収容することができる。換言すればケース本体内に収納される複数の電池の各周側面を互いに密着させて並べたときの最大外周径とケース本体の周側面がなす最大径とを略等しく設定することができ、複数本の電池を並べて収納するに必要なケース本体の周側面の実質的な外径を小さくすることができる。
【００１２】
また請求項２の構成によれば、ケース本体を２分割して各ケース体を着脱自在とすることによって、円筒形電池を収納し易くする。このとき、ケース体を互いに着脱するための係合部が、ケース体の周側部における前記ケース本体に並べて収納される複数の円筒形電池の周側面間に形成される谷間に対峙する部位、いわゆるケース本体内部におけるデッドスペース（余剰空間）に設けられているので、上記係合部が複数の電池を収納する上での障害となることがない。従って大径の円筒形電池と略同等な外観寸法（径と長さ）を維持しながら、その内部に複数本の小径の円筒形電池を収納することができる。
【００１３】
また請求項３の構成によれば前記各ケース体を軸方向に分割しているので、円筒形電池を収納する際に軸方向に挿入することができ、より一層、収納し易くすることができる。
一方、請求項４のように構成した場合には、ケース本体を本体部と蓋部とで構成し、ヒンジ部で連結しているので、円筒形電池の収納を容易にしながら、ケースを分割していないので、蓋部を紛失してしまうことを防止すると共に、蓋部の開閉操作にして容易に着脱することができる。
【００１４】
また請求項５の構成によれば、ケース本体の外形を単１形電池と互換性を持つので、単１形電池で駆動する機器に対応させることができて、且つ、単３電池を４本収納できるので、従来の電池ケースに比べて電池容量または電池電圧を大きくすることができる。
また請求項６の構成によれば前記接続端子の一方に、前記円筒形電池の一端部に突出した正極または負極のうちの一方の電極の接触接続を許容すると共に、該円筒形電池の他端部をなす平坦な他方の電極の接触を阻止するリブを備えれば、仮に電池が逆向きに収納された場合であっても、その電池に対する電気的接続を阻止することができる。従って電池ケースに収納する電池の向き（極性）を誤って逆にしたことに起因する短絡事故等の不具合を招来することがない。つまり電池ケースに複数本の電池を収納して使用するに際しての安全性を十分に確保することが可能となる。
【００１５】
更には請求項７の構成によれば、複数本の電池からそれぞれ引き出される電流の向きを一定に揃えることができるだけでなく、ケース本体に収容される複数本の電池の電池電圧（電池性能）に差異があっても、これに起因する逆電流の発生を確実に阻止することができる。従ってこの点でも、電池ケースに収納する電池の向き（極性）を誤って逆にしたことに起因する短絡事故の発生を阻止することができるので、前述したリブによる効果と相俟ってその使用上の安全性を十分に高めることが可能となる。
【００１６】
このとき請求項８に記載するように、複数のダイオードを正極側または負極側の各接続端子と共に回路基板に実装し、この回路基板をケース本体の端部に組み込むようにすれば、その製作（組み付け）作業性を容易化すると共に、電池ケースの製造コストを低減し得る等の効果が奏せられる。
【発明を実施するための最良の形態】
【００１７】
以下、図面を参照して本発明の一実施形態に係る電池ケースについて説明する。
この実施形態に係る電池ケースは、４本の単３電池を並べて収納して単１電池の代替品として用いられるものであって、全体的には図１に示すような外観形状を有している。
即ち、この電池ケースは、概略的には軸方向に互いに着脱可能に設けられた有底円筒状の一対の正極側ケース体１０および負極側ケース体２０を主体とし、これらの対をなすケース体１０,２０を結合して形成されるケース本体の内部に４本の単３電池ＢＡＴを並べて収納するように構成されている。上記正極側ケース体１０および負極側ケース体２０は、それぞれ単１電池と略同等な外径（３４.２ｍｍφ）Ｄを有し、これらのケース体１０,２０を互いに軸方向に連結した一体化したときに単１電池と略同等な長さ（６１.５ｍｍ）Ｌとなる大きさのものからなる。ちなみに単３電池ＢＡＴの外径ｄは１４.５ｍｍφであり、その長さは５０.５ｍｍである。
【００１８】
特に前記各ケース体１０,２０の周側部１１,２１には、軸方向に沿って延びる所定幅（例えば１０ｍｍ幅）の４条のスリット１２,２２が、それぞれその周方向に等角度間隔（９０°間隔）に設けられている。これらのスリット１２,２２は、図２にその概略的な横断面形状を示すように、各ケース体１０,２０（ケース本体）の内部に収納された４本の単３電池ＢＡＴの各周側面の外側に向けて位置付けられる部位がそれぞれ入り込むように設けられたもので、これらのスリット１２,２２を介して各単３電池ＢＡＴの周側面の一部がそれぞれ露出するようになっている。
【００１９】
即ち、４本の単３電池ＢＡＴを、図２に示すようにその周側面を互いに突き合わせて正方形状に並べた場合、これらの単３電池ＢＡＴがなす塊の最大幅はその対角線方向に略３５.７（＝１４.５＋１４.５√２）ｍｍとなり、ケース体１０,２０の外径（３４.２ｍｍφ）Ｄよりも若干大きくなる。上述したスリット１２,２２は、このようにして配置される４本の単３電池ＢＡＴの前記各ケース体１０,２０の周側部１１,２１からの、いわゆる逃げ部をなすもので、上記各単３電池ＢＡＴの周側部の一部をそれぞれ嵌め込むことで、図２に示すように単１電池と略同等な外径（３４.２ｍｍφ）Ｄを有する各ケース体１０,２０の内部への４本の単３電池ＢＡＴの収納を可能としている。
【００２０】
またこれらのスリット１２,２２の間に位置して各ケース体１０,２０の円筒状の周壁を断続的に形成する周側部１１,２１には、これらのケース体１０,２０を互いに軸方向に着脱可能に連結して一体化する為の一対の係合部が設けられている。ちなみに断続的に並んで円筒状の周壁を形成する上記周側部１１,２１は、前記各ケース体１０,２０内に並べて収納される４本の単３電池ＢＡＴの互いに突き合わせられた周側面間に形成される谷間に対峙した部位をなす。そして上記係合部は、例えば正極側ケース体１０の周側部１１に設けられた四角形状の嵌合孔１３と、負極側ケース体２０の周側部２１に設けられて上記嵌合孔１３に前記正極側ケース体１０の内側から係合する係合爪２３とにより実現される。
【００２１】
即ち、各ケース体１０,２０の周側部１１,２１は、前述したようにスリット１２,２２に嵌め込んだ状態でケース体１０,２０内に並べて収納した単３電池ＢＡＴの周側面から離れた位置に設けられるものであって、前記周側部１１,２１と複数の単３電池ＢＡＴの互いに突き合わせられた周側面間に形成される谷間との間は、いわゆるケース体１０,２０の内部におけるデッドスペース（余剰空間）となっている。上述した嵌合孔１３および係合爪２３とから係合部は、このようなケース体１０,２０のデッドスペースを利用して設けられており、その存在が単３電池ＢＡＴの収納に支障を来さないようになっている。
【００２２】
具体的には図３に電池ケースにおける正極側ケース体１０から負極側ケース体２０を取り外した状態を示すように、前記嵌合孔１３は正極側ケース体１０の周側部１１の略中央部に開口されている。また前記係合爪２３は負極側ケース体２０の周側部２１から延出された舌片２４の先端部に、外側に向けて突設されている。特に上記舌片２４は、正極側ケース体１０に対してその自己方向から負極側ケース体２０を結合させるとき、内側に撓みながら上記正極側ケース体１０の周側部に内側に入り込むように設定されている。そして両ケース体１０,２０の開口端を互いに突き合わせたき、上記舌片２４は弾性復帰してその先端部に突設された係合爪２３を前記周側部１１の内側から前記嵌合孔１３に係合させて上記ケース体１０,２０を結合一体化するものとなっている。
【００２３】
一方、前記正極側ケース体１０の内底部には、図４に示すように４本の単３電池ＢＡＴの各正極に一括して電気的に接続される十字状の接続端子１４が設けられている。この接続端子１４は、図１に示すように正極側ケース体１０の底部外面（筒状のケース本体の端面）に突設されたキャップ状の正極電極１５に電気的に接続されたものであり、４本の単３電池ＢＡＴの各正極を一纏めにして正極電極１５に共通接続する役割を担う。また正極側ケース体１０の内底部には、上記接続端子１４の周囲を囲むようにリング状のリブ１６が設けられている。これらのリブ１６は、正極側の接続端子１４への単３電池ＢＡＴの一端部に突出した正極電極（図示せず）の接触接続を許容すると共に、該単３電池ＢＡＴの他端部をなす平坦な負極電極（図示せず）の接触を阻止する役割を担う。具体的には上記リング状のリブ１６は、単３電池ＢＡＴの正極電極が進入可能な凹部を形成し、且つ単３電池ＢＡＴの正極電極の突出長よりも低い高さの突起として実現されている。
【００２４】
これに対して前記負極側ケース体２０の内底部には、図５に示すように４本の単３電池ＢＡＴの各負極に個別に電気的に接続される舌片状の弾性片からなる４つの接続端子２５が設けられている。特にこれらの接続端子２５は、負極側ケース体２０の内底部に組み込まれるプリント回路基板２６にそれぞれ実装されており、該プリント回路基板２６と一体に負極側ケース体２０の内底部に装着されるようになっている。またこのプリント回路基板２６には、上記各接続端子２５にそれぞれ対応する４つのダイオード２７と、渦電流保護素子であるＰＴＣ（正温度係数抵抗素子）２８とが実装されている。そして前記各接続端子２５は、図６にその回路構成を示すようにそれぞれダイオード２７を介して共通接続され、更にＰＴＣ２８を介して前記負極側ケース体２０に設けられた負極電極２９に接続されている。
【００２５】
これらの負極側の複数の接続端子２５にそれぞれダイオード２７を介して、更にＰＴＣ２８を介して接続された負極電極２９は、前述した正極側の接続端子１４に接続された正極電極１５と協働して、前述したようにケース体１０,２０（筒状のケース本体）に収納されて前記接続端子１４,２５間にそれぞれ介挿される４本の単３電池ＢＡＴを並列接続し、電池ケースからの外部接続用の電極として機能させる役割を担っている。
【００２６】
尚、負極電極２９は、図３に示すように負極側ケース体２０の底部外面中央部に設けられた、例えば平板状の電極体からなる。そしてこの負極電極２９は負極側ケース体２０の底部を貫通して前記プリント回路基板２６に接続されることで、前述したＰＴＣ２８からダイオード２７を介して負極側の接続端子２５に電気的に接続されるようになっている。特に上記各ダイオード２７は、負極電極２９から接続端子２５に向けて電流を流するようにその極性（向き）が設定されており、前述した単３電池ＢＡＴに対する逆電流の通電を阻止する役割を担っている。また各ダイオード２７は、４本の単３電池ＢＡＴ間において不本意な電流が流れることを阻止する役割も担っている。
【００２７】
ちなみにダイオードは、一般的に０.５Ｖ程度の電圧降下を生じるので、上述した如く４本の単３電池ＢＡＴをそれぞれダイオード２７を介して並列接続した場合、単３型のＮi-ＭＨ電池ＢＡＴの定格出力電圧１.２Ｖに対して正極電極１５および負極電極２９から取り出される電圧は０.７Ｖ程度と低下することが否めない。尚、単３型の乾電池の場合には、その定格出力電圧１.５Ｖであるので、正極電極１５および負極電極２９から取り出される電圧は１.０Ｖ程度に低下する。しかしながら電池を電源とする電子回路の中には、その動作保証電圧を０.６Ｖ程度とした低電圧回路を搭載したものも多くある。従ってこの種の電子機器の電源として単３電池ＢＡＴを収納した電池ケースを単１電池の代替品として用いる場合には、実質的に上述したダイオード２７による電圧降下が問題となることはない。また機器によっては上述した出力電圧よりも高い動作保証電圧を必要とするものもあるが、この場合には、電圧降下の小さいダイオードを用いたり、出力電圧調整回路を組み込むようにしても良い。
【００２８】
かくして上述した如く構成された電池ケースによれば、軸方向に連結されて単１電池と略同等な外観寸法を有するケース体１０,２０に４本の単３電池ＢＡＴを収納して、単１電池の代替品として機能させることができる。特に前述したスリット１２,２２を介して単３電池ＢＡＴの周側部を部分的に露出させることで、その全体的な形状・寸法をほぼ維持したまま４本の単３電池ＢＡＴを効果的に収納することができる。またケース体１０,２０の周側部にて４本の単３電池ＢＡＴを取り囲むので、これらの単３電池ＢＡＴの脱落を確実に阻止することができ、その取り扱い性を良好にすることができる。しかも両ケース体１０,２０を着脱自在に連結する係合部を、ケース体１０,２０のデッドスペース（余剰空間）を利用して設けているだけなので、単３電池ＢＡＴの収納に支障を来すことがない。
【００２９】
また前述した如く正極側の接続端子１４の周囲にリブ１６を設けているので、単３電池ＢＡＴの向きを誤って逆向きにしても、該単３電池ＢＡＴとの電気的接続（接触）が阻止されるので取り扱い上の安全性が高い。また負極側の接続端子２５に個別に直列接続したダイオード２７にて単３電池ＢＡＴに対する電流の向きを制限しているので、誤って単３電池ＢＡＴの向き（極性）を逆向きにして電池ケースに収納しても、その単３電池ＢＡＴから電流が流れることがない。従ってこの点でもその安全性が高い。
【００３０】
これにも増して各単３電池ＢＡＴ毎にダイオード２７が直列に介挿されるので、例えば異なる電池容量（電池特性）の単３電池ＢＡＴを混在させて収納した場合であっても、これらの単３電池ＢＡＴ間に不本意な電流が流れることがない。即ち、複数本の単３電池ＢＡＴの電池容量（電池性能）に差異があっても、これに起因する逆電流の発生を確実に阻止することができ、その安全性を十分に確保することができる。更には前述したようにプリント回路基板２６を用いて複数の電極端子２５やダイオード２７等を実装するようにすれば、その製作の容易化を図り、ひいては製造コストの低減を図ることができる等の実用的な利点も多大である。
【００３１】
尚、本発明は上述した実施形態に限定されるものではない。例えば正極側ケース体１０に係合爪を設け、負極側ケース体２０に上記係合爪に係合する嵌合孔を設けることも勿論可能であり、その他の連結構造を採用することも勿論可能である。またダイオード２７が正極側に設けるようにしても良く、更にはＰＴＣ２８を省略したり、或いはＰＴＣ２８に代えてフューズを搭載して電池ケースを構築することも可能である。またダイオード２７として、その順方向降下電圧が０.２Ｖ程度のものを用いれば、正極電極１５および負極電極２９から取り出される電圧の低下を抑え得ることは言うまでもない。
【００３２】
また上述した実施形態においては複数本の円筒形電池を並列接続して用いるようにしたが、これらの電池を適宜直列接続して用いることも可能である。即ち、電池にそれぞれ直列に接続されるダイオードでの電圧降下を見込んで複数の電池を直列に接続し、正極電極１５および負極電極２９を介して取り出される電圧を高く設定したり、その出力電圧の調整回路を内蔵して定格電圧を得るように構成することも可能である。
【００３３】
またここでは単１電池と略同等な外観寸法を有するケース本体に４本の単３電池を収納する電池ケースを例に説明したが、単２電池と略同等な外観寸法（外径２６.２ｍｍ、長さ５０.０ｍｍ）を有するケース本体に４本の単４電池（外径１０.５ｍｍ、長さ４４.５ｍｍ）を、或いは４本の単５電池（外径１２.０ｍｍ、長さ３０.２ｍｍ）を収納する電池ケースにも同様に適用することができる。
【００３４】
更には単１電池と略同等な外観寸法を有するケース本体に、例えば図７に示すように４本の単３電池ＢＡＴを菱形状に並べて収納する場合には、前述したスリットを２箇所に設ければ十分である。また電池径によっては１箇所にだけスリットを設けるようにすることも可能である。またケース本体を前述した２分割構造に代えて、図８に示すように筒状のケース本体の周壁の一部、例えば周壁の略半分を開閉自在な蓋とした構造として実現することも可能である。この場合、蓋を横開き可能に設けても良いし、半筒状のケース本体に対して着脱可能に設けるようにしても良い。
【００３５】
更にはケース本体を、図９に示すように多角形状（この例では略８角形状）をなす筒体として実現することも可能である。この際、その周壁を円弧面と平面とを交互に配列したものとし、全体的に円筒形状に近いものとして実現すれば、いわゆる角張りを緩和することができるので、手に持ったときの違和感を少なくすることができる。要は使用機器における電池収納部の形状に応じて、その外観形状を定めれば十分である。その他、本発明はその要旨を逸脱しない範囲で種々変形して実施することができる。
【図面の簡単な説明】
【００３６】
【図１】本発明の一実施形態に係る電池ケースの概略構成を示す斜視図。
【図２】電池ケース内部に収納される電池の配置構造を示す横断面図。
【図３】図１に示す電池ケースの正極側ケース本体と負極側ケース本体とを分離した状態を示す斜視図。
【図４】正極側ケース本体の内底面の構造を示す図。
【図５】負極側ケース本体の内底面の構造を示す図。
【図６】図１に示す電池ケースにおける電気配線構造を示す図。
【図７】本発明の変形例を示す図。
【図８】本発明の別の実施形態に係る電池ケースの概略構成を示す斜視図。
【図９】本発明の更に別の実施形態に係る電池ケースの概略構成を示す斜視図。
【符号の説明】
【００３７】
１０  正極側ケース体（ケース本体）
１１  周側部
１２  スリット
１３  嵌合孔（係合部）
１４  接続端子
１５  正極電極
１６  リブ
２０  負極側ケース体（ケース本体）
２１  周側部
２２  スリット
２３  係合爪
２４  舌片
２５  接続端子
２６  プリント回路基板
２７  ダイオード
２８  ポリスイッチ
２９  負極電極
ＢＡＴ  電池（単３電池）
【図１】
2006269193.tif 000003
【図２】
2006269193.tif 000004
【図３】
2006269193.tif 000005
【図４】
2006269193.tif 000006
【図５】
2006269193.tif 000007
【図６】
2006269193.tif 000008
【図７】
2006269193.tif 000009
【図８】
2006269193.tif 000010
【図９】
2006269193.tif 000011